(57)【要約】【課題】スタンドアローンとラックマウントでの使用に応じて、それに適した外形に変更でき、構造が簡単で補助部品を保管管理する必要もない電子機器を提供する。【解決手段】段部を設けた両側面（サイド面）を有する電子機器であるミキサー１の両側面１２に山形のアングル部材２０を固着する。その段部は側面１２の外方に突出した第１壁部１４と、第１壁部から内側方に凹んだ第２壁部１５と、第１壁部と第２壁部とを接続する接続部１６とからなる。そして、山形のアングル部材２０を第１の壁部１４に、（ａ）に示すように第１壁部１４に接して接続部１６に対向させる第１の取付モードと、（ｂ）に示すように第１壁部１４に接してその第１壁部１４よりさらに外方に張り出させる第２の取付モードのいずれのモードでも固着できるようにした。【選択図】　　　　図１
2004111657.tif 000002
【特許請求の範囲】
【請求項１】
段部を設けたサイド面を有し、該サイド面に山形のアングル部材を固着した電子機器であって、
前記段部は、前記サイド面の外方に突出した第１壁部と、該第１壁部から内方へ凹んだ第２壁部と、該第２壁部と前記第１壁部を接続する接続部とからなり、前記アングル部材を前記第１壁部に取り外し可能に固着する取付手段を有し、該取付手段は、前記アングル部材を、前記第１壁部に接して前記接続部に対向させる第１の取付モードと、前記第１壁部に接してその第１壁部よりさらに外方に張り出させる第２の取付モードのいずれのモードでも固着し得る手段であることを特徴とする電子機器
【発明の詳細な説明】
【０００１】
【発明の属する技術分野】
この発明は、任意の場所に持ち運びし、その場所ごとに異なる設置条件に応じてラックに搭載して使用したり、卓上に置いて使用したりできる電子機器に関する。
【０００２】
【従来の技術】
従来、複数の電子機器を互いに配線したり同時に使用したりする場合、それらの電子機器をラック（棚や支柱など、機器を収納するための構造物）に搭載して、省設置スペース化や作業効率の向上を図るのが一般的である。さらに、電子機器間の煩雑な配線の大部分を正面からは見えないラックの後側で行い、作業場の美観や安全性を向上させることも行われている。
そこで、例えばオーディオ機器などのように、ラックに搭載したまま動かさずに一定の場所で長期間使用する電子機器の多くは、操作や表示を行うパネルを電子機器本体（以下、単に「本体」と云う）の前面に設け、入出力端子を本体の背面に設けて、使用者が操作し易いようにしている。
【０００３】
しかし、電子機器の中には、任意の場所に持ち運びし、その場所ごとに異なる設置条件（設置面積、使用する電子機器の種類および個数など）に応じて、ラックに搭載して（以下、「ラックマウント」と云う）使用したり、個別に卓上に置いて（以下、「スタンドアローン」と云う）使用したりするものもある。例えば音響用電子機器のミキサーなどがそうである。
【０００４】
ミキサーとは、劇場やホール、屋外などでの音響調整、あるいはレコーディングなどの音作りに使われる複数の音声信号の混合・調整用の電子機器であり、複数のチャンネルから入力した音声信号を任意のレベル（音量）比で混合して出力することができる。また通常、音声信号の音色を任意に加工するためのイコライザーおよびエフェクターなどの効果回路や入出力端子も装備している。なお、この音量や音色を調整するための各種の操作子は、本体の上面に設けたパネルの略全面に取り付けられている。
このように、操作や表示を行うパネルを本体の上面に設けると、スタンドアローンで使用するときに使用者が操作し易いという利点がある。
【０００５】
【発明が解決しようとする課題】
しかしながら、このような電子機器をラックマウントする場合、スタンドアローンのときと同様にパネルを上に向けてラックに搭載すると、使用者の手がパネルの奥に届き難くなり、作業効率が低下してしまうという問題があった。
そこで、本体をラックの前方に向かって９０°回転させ、パネルを作業者に対向させてラックに搭載することが考えられる。しかし、本体の形状が立方体や直方体でない場合、特にミキサーのように縦横の寸法に比べて高さ寸法が低く、しかも背面から前面に向かって高さ寸法が次第に低くなる略塵取り型の形状をしている電子機器の場合は、倒れ易く安定性に欠けるという問題があった。
【０００６】
そのため、ラックに専用の支持具を設けて電子機器を支えることが考えられる。しかしそれには、電子機器ごとに異なる複雑な形状の支持具が必要になるため、コスト高になってしまうという問題があった。
あるいは、電子機器にラックマウント用の取付部を設けることも考えられる。しかし、そうすると、電子機器をスタンドアローンで使用するときに取付部が操作の邪魔になってしまうという問題があった。特に、ミキサーは暗い場所で操作することが多いので、取付部などの出っ張りがあると配線などを引掛け易く、操作の安全性が低下してしまうという問題もあった。
【０００７】
また、スタンドアローンで使用するときに邪魔にならないよう、取付部を取り外し可能にすることも考えられる。しかしこの場合、電子機器をラックマウントするとき以外は、電子機器によって異なる複数種類の取付具を各々保管する必要があり、管理の手間や保管場所が必要になるという問題があった。
さらに、このように任意の場所に持ち運びし、ラックマウントして使用したりスタンドアローンで使用したりする場合、持ち運びのときや設置のときに電子機器が破損し易いという問題もあった。また、ミキサーのように本体が重い場合、ラックマウントするときに電子機器を持ち上げ難いといった問題もあった。
【０００８】この発明はこれらの問題点に鑑みてなされたものであり、スタンドアローンおよびラックマウントのいずれの設置状態にも対応できる電子機器の構造をコスト高になることなく実現すると共に、その両方の設置状態のいずれでも作業効率や安全性が低下したり管理が複雑化したりすることを防ぎ、さらに、その電子機器を持ち運んで設置するときに、破損し難くし、持ち上げ易くすることを目的とする。
【０００９】
【課題を解決するための手段】
この発明は上記の目的を達成するため、段部を設けたサイド面に山形のアングル部材を固着した電子機器であって、その段部は、サイド面の外方に突出した第１壁部と、第１壁部から内方へ凹んだ第２壁部と、第２壁部と前記第１壁部を接続する接続部とからなり、アングル部材を第１壁部に取り外し可能に固着する取付手段を有する。そして、その取付手段は、上記アングル部材を、第１壁部に接して接続部に対向させる第１の取付モードと、第１壁部に接してその第１壁部よりさらに外方に張り出させる第２の取付モードのいずれのモードでも固着し得るようにしたものである。
【００１０】
【発明の実施の形態】
以下、この発明の実施の形態を図面に基づいて説明する。
この発明による電子機器の一実施形態であるミキサーの斜視図を図２に示し、その背面図を図３に示す。
このミキサー１は、左右両側面１２，１２に段部を設けた本体１０と、その両側面１２，１２に取り付けた一対の山形のアングル部材２０，２０とからなる。
【００１１】
先ず、本体１０について説明する。本体１０は、図２に示すように両側面１２，１２と前面１０ａおよび背面１０ｂからなるサイド面と底面とによって略塵取り型の形状をしており、上面にパネル１１を設けている。そして、背面１０ｂより前面１０ａが低くなっているので、パネル１１は、前面１０ａ方向に下り勾配の斜面になっている。このパネル１１の略全面には、スライドボリュームつまみ３１，ロータリーボリュームつまみ３２，スイッチ釦３３などの多数の操作子３０が、図示しない多数の表示器などと共に設けられている。しかし、操作子３０はこの発明に特有のものではないので、パネル１１の左端に２列のみ図示して他は省略し、図が複雑になるのを避けている。
また、図３に示すように、本体１０の背面１０ｂには入出力端子３４などが多数設けられている。この入出力端子３４も操作子３０と同様にこの発明に特有のものではないので、一部のみを図示して他は省略している。
【００１２】
そして、本体１０は、図示しない電子楽器やマイクロホンなどと接続した複数の入出力端子３４（入力側）から複数の音響信号を入出力させる。そして、その音量や音色を使用者による複数の操作子３０の操作に応じて変更したり混合したりして、上記とは別の入出力端子３４（出力側）に接続したアンプおよびスピーカやヘッドホン、もしくは録音用機器などに出力する。
ところで、本体１０のサイド面のうちの左右両側面１２には、それぞれ外方へ突出した第１壁部１４と、その第１壁部１４から内方へ凹んだ第２壁部１５と、第１壁部１４と第２壁部１５を接続する接続部１６とからなる段部を設けている。その各段部の第１壁部１４に後述するアングル部材２０を固着する。
なお、両側面１２の段部は、図３に示す本体１０の横幅方向の中心線Ｂ−Ｂに対して左右対称に形成されている。
【００１３】
図１の（ａ）は、そのアングル部材の第１壁部への固着部の拡大横断面の端面図である。
このミキサー１のアングル部材２０は、本体１０の両側面の段部の第１壁部１４と接続部１６に接する向きで第１壁部１４に固着されている。なお、アングル部材２０と接続部１６とは必ずしも接しなくても対向するだけでもよい。このような向きでアングル部材２０を段部の第１壁部１４に固着することを「第１の取付モード」と云う。図１の（ａ）と図２および図３は、この第１の取付モードで一対のアングル部材２０，２０をミキサー１の両側面１２，１２の段部に取り付けた状態を示している。なお、アングル部材２０についての詳細は後述する。
【００１４】
この実施例では、両側面１２の段部を形成する第１壁部１４と接続部１６、および第１壁部１４とパネル１１の上面とは、それぞれ略直角をなしている。
その第１壁部１４には、アングル部材２０を取り外し可能に固着するために複数個（このミキサー１の場合は２個）のネジ孔１７を第１壁部１４の長手方向の中心に対して対称な位置に対をなして設けている。
【００１５】
次に、アングル部材２０について説明する。このアングル部材２０は、細長い金属板などによりその長手方向に並行な曲げ部２３で略直角に折り曲がった山形（この例では横断面がＬ字形）の部材である。
以下、このアングル部材２０の曲げ部２３で互いに直交する２つの細長い板状の部分の一方（第１の取付モードで第１壁部１４に接する方）を第１プレート２１と称し、他方（第１の取付モードで接続部１６に対向する方）を第２プレート２２と称す。なお、このアングル部材２０の曲げ部２３は、平板部材のプレス曲げ加工によって形成した曲げ部のみならず、押し出し成形によるアルミニウム等の溶融→凝固のプロセスによって形成される曲げ部も含まれる。
【００１６】
第１プレート２１の外形は段部の第１壁部１４の外形と略同じで、第２プレート２２の外形は接続部１６の外形と略同じである。
そのため、図２に示すように、第１プレート２１の長手方向前面側の端部２１ａはアールを有する突状になり、背面側の端部２１ｂは平坦になっている。したがって、山形のアングル部材２０の形状は長手方向の中心線Ａ−Ａに対して非対称である。
また、このアングル部材２０の第１プレート２１には、ラックマウント用の取付孔２５を複数個（このミキサー１の場合は４個）長手方向の中心線Ａ−Ａに対して対称な位置に設けている。
【００１７】
さらに、この第１プレート２１には、アングル部材２０を段部の第１壁部１４に取り外し可能に固着するための取付孔２４を複数個（このミキサー１の場合は２個）設けている。この取付孔２４は、図１の（ａ）に示すように取付用ネジ２８の頭部の形状に合わせた段差を設けた貫通孔であり、第１プレート２１の長手方向の中心線Ａ−Ａに対して対称な位置に、第１壁部１４に設けた２個のネジ孔１７と同じ間隔で設けられる。よって、この取付孔２４の位置は、段部の第１壁部１４の長手方向の中心に対しても対称になる。
なお、左右のアングル部材２０，２０は、図３に示した本体１０の中心線Ｂ−Ｂに対して対称な形状である。
【００１８】
そして、図１の（ａ）に示すように、２本の取付用ネジ２８をそれぞれアングル部材２０の外側から第１プレート２１の各取付孔２４に挿入し、それぞれ第１壁部１４に設けたネジ孔１７にねじ込んで締付ければ、本体１０の両側面１２の段部における第１壁部１４にアングル部材２０を第１の取付モードで左右対称に固着することができる。取付用ネジ２８をゆるめて引き抜けば、アングル部材２０の取り外しも簡単である。
なお、第２プレート２２にも、アングル部材２０を段部に取り外し可能に固着するための取付孔２６を複数個（このミキサー１の場合は２個）設けている。この取付孔２６も第１プレート２１の取付孔２４と同じ形の貫通孔であり、第２プレート２２の長手方向の中心に対して対称な位置に第１壁部１４のネジ孔１７と同じ間隔で設けられている。しかし、第１の取付モードではこの取付孔２６には取付用ネジ２８は挿入されず、空いている。
この実施形態では、これらのアングル部材２０の取付孔２４，２６と第１壁部１４のネジ孔１７と取付用ネジ２８とによって、アングル部材２０を第１壁部１４に取り外し可能に固着する取付手段を構成している。
【００１９】
前述したようにアングル部材２０の外形が第１壁部１４および接続部１６の外形と略同じであるため、第１の取付モードではアングル部材２０が本体１０から出っ張らない。そして、その一対のアングル部材２０が、ミキサー１の両側面１２の段部の特に破損し易い突出部である第１壁部１４および接続部１６を覆う保護部材（プロテクタ）となるので、ミキサー１を持ち運んで設置するときなどに破損するのを防ぐことができる。
しかも、ミキサー１をスタンドアローンで使用するときに、このアングル部材２０が操作の邪魔になることはない。また、アングル部材２０に配線などが引っ掛かる恐れもないので、操作の安全性を損なうこともない。
【００２０】
ところで、前述したとおり、アングル部材２０の第２プレート２２にも、段部の第１壁部１４に取り外し可能に固着するための取付孔２６を有する。
そこで、図２に示した第１の取付モードで取り付けられた左右のアングル部材２０を、取付用ネジ２８を抜いて段部から取り外し、それぞれ長手方向の中心線Ａ−Ａを軸にして１８０°回転させて前後を逆にし、さらに曲げ部２３を軸にして９０°回転すれば、アングル部材２０を第２プレート２２が第１壁部１４に接して第１プレート２１が第１壁部１４よりさらに外側方に張り出すようにして固着することができる。あるいは、左右のアングル部材２０を第１のプレート２１の面に垂直な軸線の回りに１８０°回転させて前後および上下を反転し、左右のアングル部材２０を入れ替えて取り付けるようにしてもよい。
このような向きでアングル部材２０を段部の第１壁部１４に固着することを「第２の取付モード」と云う。
【００２１】
図４はこの第２の取付モードで一対のアングル部材２０，２０を両側面１２，１２の段部に取り付けた状態のミキサーの外観を示している。
図１の（ｂ）は、この第２の取付モードにおける同図（ａ）と同様な部分の拡大横断面の端面図である。
この第２の取付モードでは、アングル部材２０の第２プレート２２が第１壁部１４に接し、第１プレート２１が第１壁部１４から本体１０の側面１２の外側方に張り出している。なお、第１プレート２１を本体１０のパネル１１と面一にするためには、第２プレート２２を第１壁部１４の上部に固定する必要がある。
従って、第２プレート２２の取付孔２６は、第１プレート２１がパネル１１と面一になるようにして第２プレート２２を第１壁部１４に接触させたときに、第１壁部１４に設けた２個のネジ孔１７とそれぞれ対向する位置に設けるとよい。
【００２２】
そして、第１の取付モードのときと同様に、２本の取付用ネジ２８をそれぞれアングル部材２０の外側から第２プレート２２の取付孔２６に挿入し、取付孔２６の段差に取付用ネジ２８の頭部が嵌合するようにして第１壁部１４に設けたネジ孔１７にねじ込んで締め付ければ、本体１０の両側面１２の各段部における第１の壁部１４に、それぞれアングル部材２０を第２の取付モードで固着することができ、取り外しも簡単にできる。
そして、この図４に示す取付状態の場合には、左右のアングル部材２０はいずれも第１プレート２１の突状の端部２１ａが本体１０の背面１０ｂから若干突出する向きで取り付けられている。
【００２３】
この図４に示す取付状態から、左右のアングル部材２０を取り外して、長手方向の中心線Ｃ−Ｃを軸にして１８０°回転して前後を逆にし、左右のアングル部材２０を入れ換えて、それぞれ本体１０の両側面１２の段部における第１壁部１４に固着すると、図５に示す取付状態になる。これも第２の取付モードであるが、左右のアングル部材２０はいずれも第１プレート２１の突状の端部２１ａが本体１０の前面１０ａから若干突出する向きで取り付けられる。
これらの第２の取付モードでは、アングル部材２０の第１プレート２１が本体１０の左右の両側面より外側方へ張り出すので、ミキサー１はＴ字型構造になる。したがって、大きくて重いミキサー１を持ち運んで設置するときに、その一対の第１プレート２１，２１の部分をつかんでミキサーを容易に持ち上げることができる。また、このようにするとミキサー１をラックマウントするのに便利になる。
【００２４】
図６はこのミキサーのラックマウントの例を示す正面図である。この例では、第２の取付モードでアングル部材２０を取り付けた２台のミキサー１を、音源ユニット５，外付け用照明器具６と共にラック４に搭載している。なお、音源ユニット５は音源として使用される音響用電子機器であるが、公知のものを任意に使用すればよく、この発明に特有なものではないので詳細な説明は省略する。
ラック４は従来の一般的なラックであり、縦横のアングル材からなり、前部に一対の取付支柱４１，４１を持つ。この各取付支柱４１には、電子機器取付用の多数の取付孔４２が縦方向に等間隔で設けられている。
【００２５】
一方、２台のミキサー１は、それぞれ本体１０の前面１０ａが下に背面１０ｂが上になるようにして、パネル１１をラック４の前方（正面）に向けて取付けられている。そして、各アングル部材２０の第１プレート２１が、ラック４の前側から各取付支柱４１の前面に重なり合っている。つまり、各第１プレート２１の裏面を取付支柱４１の前面に接触させている。
なお、このとき、各アングル部材２０の第１プレート２１に設けられた複数のラックマウント用取付孔２５のうちの少なくとも２個ずつが、取付支柱４１に多数設けられた電子機器取付用の取付孔４２と一致するように、ミキサー１の位置（高さ）を調整する。
【００２６】
図７は、図６のＤ−Ｄ線に沿うアングル部材２０と取付支柱４１との固定部の拡大断面の端面図である。
この図７に示すように、ボルト４３を各アングル部材２０の第１プレート２１の表側からラックマウント用取付孔２５とラック４の取付支柱４１の取付孔４２に挿入し、取付支柱４１の裏面側からナット４４を螺合して締め付ければ、アングル部材２０を取付支柱４１に固着し、ミキサー１をラック４に簡単に固定することができる。
なお、ラック４の取付支柱４１の取付孔４２が雌ネジ孔になっていれば、ナット４４を使用しなくても固着することができるが、第１プレート２１の取付孔２５と取付支柱４１の取付孔４２の位置の誤差を吸収するために、取付孔２５と４２の少なくとも一方はボルト４３より径の大きい孔又は長孔にしておくとよい。
【００２７】
このように、本体１０の両側面１２に第２の取付モードでアングル部材２０を取り付ければ、ミキサー１の本体１０の形状が立方体や直方体でなく略塵取り型あるいは楔型であっても、本体１０のパネル１１をラック４の前側に向けて（使用者に向かい合うにようにして）ラック４に搭載することができる。しかも、ミキサー１をラック４に複数箇所で固定するので、確実に固定でき安定性が良い。また、この例では前述したとおりアングル部材２０の第１プレート２１と本体１０のパネル１１とは互いの表面が面一になっているので、ミキサー１をラック４に搭載したときに、取付支柱４１とパネル１１の全面も略面一になる。よって、パネル１１がラック４の前面から出っ張ったり奥へ引っ込んだりせず、使用者がミキサー１を操作し易い。
さらに、アングル部材２０のラックマウント用取付孔２５とラック４の電子機器取付用の取付孔４２とを一致させる位置を選択すれば、使用者が一番操作し易い位置（高さ）にミキサー１を搭載できる。
【００２８】
図６に示すラックマウントの例では、いずれも第２の取付モードで本体１０の両側面１２にアングル部材２０を取り付けているが、下側のミキサー１は図４に示した取付状態であり、上側のミキサー１は図５に示した取付状態である。したがって、下側のミキサー１は、アングル部材２０の第１プレート２１の突状の端部２１ａが本体１０の背面１０ｂから突出しており、上側のミキサー１は、アングル部材２０の第１プレート２１の突状の端部２１ａが本体１０の前面１０ａから突出している。
【００２９】
したがって、２台のミキサー１，１の間に間隔ｄの隙間５０が形成される。なお、上下のミキサー１を入れ換えて搭載すればその隙間５０を無くすことができ、２台のミキサー１のアングル部材２０の取付方向を同じにすれば（いずれも図４又は図５の一方に示す取付状態にすれば）隙間５０の間隔ｄは略半分になる。しかし、この隙間５０の間隔ｄは、アングル部材２０の取付孔２５とラック４の取付孔４２の位置にもよる。
ところで、従来技術の説明で述べたように、電子機器をラックマウントした場合はラックの後側で配線を行うのが一般的である。しかし、暗い場所で操作することが多いミキサーのような電子機器をラックマウントする場合には、外付けの照明器具をラックの前側で使用するために、そのコードをラックの後側から前側へ引き出す必要がある。
【００３０】
そのため、図６に示す例では、上下のミキサー１，１の間の隙間５０から照明器具６のコード６１を引き出すことができる。このように、一方のミキサー１を一段上げたり下げたりすることなく、必要なコード等を前面側に引き出すことができるので、ミキサー１の位置（高さ）を使用者が一番操作し易い位置から動かさなくて済む。また、第２の取付モードにおける図４と図５に示した取付状態の使い分けによって、ラックマウントしたときのミキサー１の上下の微妙な位置調整も可能である。
ところで、ミキサー１をラックマウントしないときには、各アングル部材２０を図２に示したように第１の取付モードで本体１０の両側面１２に取り付ければよいので、各アングル部材２０を本体１０から取り外して別途保管する必要がなく、管理の手間や保管場所を確保する必要もない。
【００３１】
ところで、上記の実施形態では、ミキサー１の両側面１２の段部における接続部１６を平面状の壁面で示した。しかし、この接続部１６は平面に限るものではなく凸凹部があってもよい。また、段部の第１壁部１４と接続部１６とのなす角度は略直角でなくてもよく、鈍角あるいは鋭角であってもよい。その場合も、アングル部材２０の大きさと形状を、第１の取付モードで固着する場合に、第１壁部１４に接して接続部１６に対向し、その両方を覆えるようにすのが望ましい。さらに、段部の第１壁部１４とパネル１１の角度についても略直角でなくてもよい。したがって、アングル部材２０の第１プレート２１と第２プレート２２のなす角度も略直角に限らず、鈍角や鋭角にしてもよい。第１プレート２１と第２プレートの幅もそれぞれ段部の形状に合わせて任意に変更できる。
【００３２】
以上、この発明を適用した電子機器がミキサーである場合の実施形態について説明してきたが、これに限るものではなく、スタンドアローンで使用したりラックマウントで使用したりする他の電子機器に適用しても、同様の効果が得られるのは勿論である。
また、上述したラックマウントの例では、取付支柱が床に対して垂直なラックに電子機器（図６に示した例ではミキサー）を上下方向に並べて搭載する場合について説明したが、それに限るものではなく、取付支柱が床に対して傾斜しているラックにも同様にして電子機器を搭載することができる。この場合、電子機器はそのパネル面が垂直あるいは水平に対して傾斜して取り付けられる。
【００３３】
さらに、横幅の寸法が異なる電子機器を同じラックに搭載する場合などは、２つ以上の調節孔を有す平面板（アジャスター）を別途用意し、そのアジャスターを介してアングル部材と取付支柱とを固定するようにしてもよい。
なおまた、電子機器の側面に段部を有し、そこにアングル部材を取りつけるものに限らず、電子機器のサイド面のうちの背面および前面に段部を有し、そこにアングル部材を取り付け、ラックマウントの場合にはその電子機器をラックの取付支柱ではなく棚板又は横のアングル材に固定するようにしてもよい。また、電子機器の３箇所以上のサイド面に段部を有する場合は、その全ての段部あるいはその一部の段部だけにアングル部材を取り付けるようにしてもよい。
【００３４】
上述の実施形態では、アングル部材の形状が長手方向の中心に対して非対称である場合について述べたが、それに限るものではない。アングル部材の形状は段部の形状に応じて対称／非対称のいずれにもなるが、そのどちらについてもこの発明は適用できる。なお、非対称の場合は、第２の取付モードで２種類の取付状態を選択できるという利点がある。一方、対称の場合は、第２の取付モードでも１種類の取付状態になるため選択できる取付形態は２種類となるが、本体の両側面に同形のアングル部材を取り付けるので、アングル部材が１種類で済むという利点がある。
【００３５】
また、上述した実施形態では、アングル部材の取付孔が長手方向の中心に対して対称であり、本体の両側面の段部およびアングル部材が本体の横幅方向の中心に対して左右対称である場合について説明した。しかし、これに限るものではなく、上記のいずれか一方が非対称であってもよい。但し、その場合は第２の取付モードでの取付状態は１種類となる。
そして、アングル部材の取付孔の形状は丸孔に限るものではなく、長孔やスリットにしても同様に固着できる。また、取付孔の数も２個および４個に限るものではなく、複数個であれば良い。
【００３６】
さらに、上記取付孔とともに本体のサイド面の段部にアングル部材を取り外し可能に固着する取付手段を構成する取付用ネジによるネジ止め箇所も、１本のアングル部材に対して２箇所以上であればよい。
また、その取付手段はネジ止めに限るものではなく、他の手段を用いてもよい。例えば、アングル部材に逆楔形の突条を設け、その突条と嵌合する溝を第１壁部に設けて、その突条と嵌合する溝を嵌合させて第１壁部にアングル部材をスライドさせて装着するようにしてもよい。
【００３７】
上述の実施形態では、電子機器のパネル面とラックの前面とが略面一になるようにラックマウントする場合について述べた。しかし、それに限るものではない。例えば、アングル部材を第１プレートが本体のパネル面から幾分突出するように取り付けてラックマウントすれば、電子機器のパネル面がラックの前面よりも多少引っ込むので、パネルに設けられた操作子や表示器を保護することができる。
【００３８】
【発明の効果】
以上説明してきたように、この発明による電子機器は、その山形のアングル部材を本体のサイド面の段部に、第１の取付モード又は第２の取付モードで取り付けることにより、スタンドアローンで使用する場合には、アングル部材が本体の段部の突出部分を保護して破損を防ぎ、ラックマウントで使用する場合にはラックへの固定を容易且つ確実に行うことができる。しかも構造が簡単で安価に実施でき、アングル部材を保管管理する必要もなない。
【図面の簡単な説明】
【図１】図２および図４に示すミキサーのアングル部材の第１壁部への固着部の拡大横断面の端面図である。
【図２】この発明による電子機器の一実施形態であるミキサーのアングル部材を第１の取付モードで取り付けた状態を示す斜視図である。
【図３】同じくその背面図である。
【図４】図２と同じミキサーのアングル部材を第２の取付モードで取り付けた状態を示す斜視図である。
【図５】同じく、第２の取付モードでアングル部材を図４と前後を逆向きにして取り付けた状態を示す斜視図である。
【図６】図４および図５に示したミキサーをラックに搭載した状態を示す正面図である。
【図７】図６のＤ−Ｄ線に沿うアングル部材とラックとの固定部の拡大断面をミキサーの本体の段部と共に示す端面図である。
【符号の説明】
１…ミキサー、４…ラック、５…音源ユニット、６…照明器具、１０…本体、１０ａ…前面、１０ｂ…背面、１１…パネル、１２…側面、１４…第１壁部、１５…第２壁部、１６…接続部、１７：ネジ孔、２０…アングル部材、２１…第１プレート、２１ａ…突状の端部、２１ｂ…平坦な端部、２２…第２プレート、２３…曲げ部、２４，２６…取付孔、２５…ラックマウント用取付孔、２８：取付ネジ、３０…操作子、３１…スライドボリュームつまみ、３２…ロータリーボリュームつまみ、３３…スイッチ釦、３４…入出力端子、４１…取付支柱、４２…電子機器取付用の取付孔、４３…ボルト、４４…ナット、５０…隙間
【図１】
2004111657.tif 000003
【図２】
2004111657.tif 000004
【図３】
2004111657.tif 000005
【図４】
2004111657.tif 000006
【図５】
2004111657.tif 000007
【図６】
2004111657.tif 000008
【図７】
2004111657.tif 000009